(57)【要約】【課題】貯湯缶体の保温運転は給湯スイッチをオフするのを忘れると、絶対に使用しない夜中でも運転して不経済であり、これを防止した貯湯式給湯装置を提供する。【解決手段】湯水を貯湯する貯湯缶体１と、この貯湯缶体１内の湯水温度を検知する貯湯温度センサ１２と、該貯湯温度センサ１２の検知温度が予め設定された所定温度を維持する保温運転を行うように貯湯缶体１内の湯水を加熱する加熱手段４と、前記貯湯温度センサ１２の検知温度と所定温度とを比較して加熱手段４を制御する制御回路１３と、前記制御回路１３に各種の指示信号を送るリモコン装置１４とから構成したことで、前記リモコン装置１４には、前記保温運転をオフする時間帯を任意に設定可能とする保温オフモードを設けたので、無駄な保温運転でエネルギーを消費する心配がなく経済的である。【選択図】  図２
2011094935.tif 000002
【特許請求の範囲】
【請求項１】
湯水を貯湯する貯湯缶体と、この貯湯缶体内の湯水温度を検知する貯湯温度センサと、該貯湯温度センサの検知温度が予め設定された所定温度を維持する保温運転を行うように貯湯缶体内の湯水を加熱する加熱手段と、前記貯湯温度センサの検知温度と所定温度とを比較して加熱手段を制御する制御回路と、前記制御回路に各種の指示信号を送るリモコン装置とから構成したものに於いて、前記リモコン装置には、前記保温運転をオフする時間帯を任意に設定可能とする保温オフモードを設けた事を特徴とする貯湯式給湯装置。
【請求項２】
前記リモコン装置には、保温運転のオフ時間帯でもこれを解除して該保温運転をオンさせる強制スイッチを備えた事を特徴とする請求項１記載の貯湯式給湯装置。
【発明の詳細な説明】
【技術分野】
【０００１】
この発明は、貯湯缶体に貯湯した湯水を常時所定温度に保温しておき、給湯使用時には給湯混合弁で給水と混合して設定温度の給湯として供給する貯湯式給湯装置に関するものである。
【背景技術】
【０００２】
従来よりこの種のものでは、貯湯缶体内の湯水を給湯時以外でも保温温度（例えば８０℃）に維持するのは、エネルギーの無駄や運転音が騒音の原因になる等から、給湯中と給湯停止中を検知して、給湯中は従来と同じく８０℃で保温し、給湯停止中では低温の４５℃で保温するように切替ることで、エネルギーの無駄を抑制すると共に騒音を低減しょうとしたものであった。
【先行技術文献】
【特許文献】
【０００３】
【特許文献１】特開２００３−９７８５３号公報
【発明の概要】
【発明が解決しようとする課題】
【０００４】
ところでこの従来のものでは、就寝時に給湯スイッチのオフを忘れた場合は、絶対に給湯を使用することがない就寝中の夜中でも、低温ではあるが貯湯缶体内を保温するので、全くの無駄で省エネに反するものであり、又夜間でなくとも昼間のこの時間は外出していて給湯は使用しないが、給湯スイッチのオフを忘れれば、同じようにエネルギーの無駄となり、騒音も発生すると言う課題を有するものであった。
【課題を解決するための手段】
【０００５】
この発明はこの点に着目し上記課題を解決する為、特にその構成を、請求項１では、湯水を貯湯する貯湯缶体と、この貯湯缶体内の湯水温度を検知する貯湯温度センサと、該貯湯温度センサの検知温度が予め設定された所定温度を維持する保温運転を行うように貯湯缶体内の湯水を加熱する加熱手段と、前記貯湯温度センサの検知温度と所定温度とを比較して加熱手段を制御する制御回路と、前記制御回路に各種の指示信号を送るリモコン装置とから構成したものに於いて、前記リモコン装置には、前記保温運転をオフする時間帯を任意に設定可能とする保温オフモードを設けたものである。
【０００６】
又請求項２では、前記リモコン装置には、保温運転のオフ時間帯でもこれを解除して該保温運転をオンさせる強制スイッチを備えたものである。
【発明の効果】
【０００７】
以上のようにこの発明によれば、貯湯缶体内の湯水を保温する保温運転をオフする時間帯を任意に設定可能としたので、給湯スイッチのオフを忘れたとしても設定しておけば、確実に保温運転を解除することが出来、無駄な保温運転でエネルギーを消費する心配がなく、又保温運転による騒音の発生もなく、使用者の予定に合わせた保温運転のオフを設定出来て極めて使用勝手が良く容易に利用することが出来るものである。
【０００８】
又請求項２では、保温運転のオフ時間帯でもこれを解除して該保温運転をオンさせる強制スイッチを備えたので、予定とは違って緊急に給湯を使用する必要が生じた時には、強制スイッチで保温運転をオンさせて設定温度の給湯を得ることが出来、極めて便利で融通がきき使用勝手が良いものである。
【図面の簡単な説明】
【０００９】
【図１】この発明の一実施形態を示す貯湯式給湯装置の概略構成図。
【図２】同要部のフローチャート。
【発明を実施するための形態】
【００１０】
次にこの発明の一実施形態を図面に基づいて説明する。
１は外缶２と内缶３との間に湯水を貯湯する貯湯缶体で、内缶３内はガンタイプ式の燃焼バーナから成る加熱手段４が臨む燃焼室５したものであり、この燃焼室５と外缶２上方の排気室６とは複数の煙管７で連通されている。
【００１１】
８は前記貯湯缶体１の上部に連通した給湯管で、途中には給湯管８からの高温水と、前記貯湯缶体１のほぼ中間部に連通され給水を供給する給水管９から分岐した給水バイパス管１０からの低温水とを混合して設定温度の給湯を行う給湯混合弁１１が設けられている。
【００１２】
１２は前記貯湯缶体１の上部に備えられたサーミスタから成る貯湯温度センサで、貯湯缶体１内の湯水温度を検知し、この温度が所定温度ここでは８０℃を維持するように制御回路１３を介して加熱手段４をオンオフ制御して保温運転させるものである。
【００１３】
１４は前記制御回路１３に給湯設定温度等の各種の指示信号を送るリモコン装置で、運転開始を可能とする電源スイッチとしての給湯スイッチ１５や、保温運転のオフ時間帯を任意に設定する時スイッチ１６、分スイッチ１７、この時刻を確定する確定スイッチ１８や、この確定された時間帯で保温運転のオフ状態を維持させる保温オフモードを実行させる保温オフモードスイッチ１９や、保温運転のオフ時間帯を強制的に解除して保温運転をオンする強制スイッチ２０や、各種の設定や異常及び保温運転のオフ時間帯を表示する表示部２１を備えている。
【００１４】
前記制御回路１３には、現在時刻を常時カウントする時計機能部２２が備えられ、前記リモコン装置１４で設定された保温運転のオフ時間帯が入力されこれを記憶し、保温オフモードスイッチ１９の信号入力により現在時刻と比較しながら保温運転のオフ時間帯では、貯湯缶体１の保温運転は行わないようにするものであり、強制スイッチ２０からの信号入力では前記保温運転のオフ時間帯が強制的に解除され保温運転がオンされるものである。
【００１５】
２３は前記給湯管８に備えられたフローセンサで、蛇口（図示せず）の開口による流水を検知して給湯の使用を指示するものであり、２４は給湯混合弁１１後の給湯温度を検知して給湯設定温度になるように該給湯混合弁１１を制御する給湯サーミスタ、２５は加熱手段４の噴霧ノズルで、先端には点火棒２６が設けられ、後端には送油管２７が接続し電磁ボンプ２８が連通されている。
【００１６】
次にこの一実施形態の作動について説明する。
今給湯スイッチ１５をオンすると貯湯温度センサ１２が貯湯缶体１内の湯水温度を検知し、この温度が所定温度の８０℃以上の場合は加熱手段４は駆動させないが、８０℃未満の時には、制御回路１３を介して加熱手段４を駆動させて湯水を加熱して昇温し、８０℃以上になれば加熱手段４の駆動を停止して、給湯スイッチ１５がオンの時は自動的に保温運転をオン状態として貯湯缶体１内の湯水を常に所定温度に保持するものである。
【００１７】
そして、この状態で給湯管８先端の蛇口を開くことで、貯湯缶体１内の高温水が給湯管８から流出し、給湯混合弁１１でこの高温水と給水バイパス管１０からの低温水とを混合して給湯設定温度の温水として蛇口から給湯するものであり、又高温水を出湯した貯湯缶体１には出湯した高温水と同量の給水が給水管９から供給され、この給水の供給で貯湯缶体１内が温度低下すれば加熱手段４が駆動され該貯湯缶体１内を常に所定温度とするものである。
【００１８】
次に給湯スイッチ１５がオン状態でも保温運転をオフする時間帯を設定しての作動を図２に示すフローチャートに従って説明する。
先ずリモコン装置１４で保温オフモードスイッチ１９で保温オフモードを設定した後に、時スイッチ１６と分スイッチ１７でオフ時間帯の開始時間、例えばここでは就寝時間であるＰＭ１１：００を入力し確定スイッチ１８で確定し、次にオフ時間帯の終了時間、例えばここでは起床時間であるＡＭ６：００を入力し確定スイッチ１８で確定して設定を終了する。
【００１９】
そしてステップ２９で給湯スイッチ１５がオン状態かを判断し、ＹＥＳでステップ３０の保温オフモードがスタートとし、ステップ３１に進み時計機能部２２による現在時刻との比較で、保温運転のオフ時間帯かを判断してＮＯの場合は、ステップ３２に進んで貯湯温度センサ１２の検知温度が所定温度未満かを判断しＹＥＳの場合は、ステップ３３で加熱手段４を駆動させての保温運転を行うもので、そしてステップ３４で貯湯温度センサ１２が所定温度以上を検知すると、ＹＥＳでステップ３５に進み加熱手段４を停止させて保温運転は終了し、このステップ３４の終了後及びステップ３２のＮＯではステップ３１に戻るものである。
【００２０】
又ステップ３１で保温運転のオフ時間帯である場合には、ＹＥＳでステップ３６に進み貯湯温度センサ１２の検知温度に関係なく、加熱手段４は駆動させず保温運転のオフを強制的に行わせるものであり、更にステップ３７に進んで強制スイッチ２０がオンされたかを判断し、ＹＥＳでステップ３８に進み上記の保温運転のオフ時間帯を解除して、貯湯温度センサ１２の検知温度で加熱手段４の駆動を制御する保温運転をオンするものである。
【００２１】
これにより、貯湯缶体１内の湯水を保温する保温運転をオフする時間帯を任意に設定可能としたので、給湯スイッチ１５のオフを忘れたとしても設定しておけば、確実に保温運転をオフすることが出来、無駄な保温運転でエネルギーを消費する心配がなく経済的であり、又オフしておけばその時間帯は保温運転による騒音の発生もなく、使用者の予定に合わせた保温運転のオフを設定出来て極めて使用勝手が良いものである。
【００２２】
又保温運転のオフ時間帯でもこれを解除して該保温運転をオンさせる強制スイッチ２０を備えたことで、予定とは違って緊急に給湯を使用する必要が生じた時には、強制スイッチ２０で保温運転をオンさせて設定温度の給湯を得ることが出来、極めて便利で融通がきき使用勝手が更に良くなるものである。
【符号の説明】
【００２３】
１  貯湯缶体
４  加熱手段
１２  貯湯温度センサ
１３  制御回路
１４  リモコン装置
２０  強制スイッチ
【図１】
2011094935.tif 000003
【図２】
2011094935.tif 000004